(57)【特許請求の範囲】
【請求項１】
間隔を有して対向する一対のフレーム板の長さ方向の両端部に、一対のロッドローラが回転可能に設けられたフレーム本体と、
前記一対のロッドローラに無端状の引張り状態で掛け渡され、マーカーで書き込み可能で、表面に走行操作力を加えることによりスライドするロータリー式ボードと、
前記一対のフレーム板を連結し、前記ロータリー式ボードへの書き込み時にへこまないように支える当て板と、が備えられ、
前記ロータリー式ボードは、隣接する２つの領域が正面に出るように４等分した領域からなり、一方の隣接した２つの領域が自由記入領域で、他方の隣接した２つの領域にはカレンダー予定表がそれぞれ印刷されていることを特徴とするボード装置。
【請求項２】
前記ロータリー式ボードの各自由記入領域に方眼状の暗線を設けたことを特徴とする請求項１に記載のボード装置。
【発明の詳細な説明】
【技術分野】
【０００１】
本発明は、ボード装置に係り、より詳細には、手動でスライドされる無端状のロータリー式ボードの書き込み領域を４等分し、一方の隣接する２つの領域が月の予定表を印刷した領域で、他方の隣接する２つの領域が自由記入領域とされたボード装置に関する。
【背景技術】
【０００２】
特許文献１には、ホワイトボード前面の左右に伸縮自在なカーテン状プレートが設けられ、このプレートに書き込まれた２月分の予定表を見ながら打ち合わせを行ない、連絡事項をボードに書き込む打ち合わせ用ボードが示されている。
【０００３】
このような打ち合わせボードは、ホワイトボードの前面にカーテン状プレートを取り付けるので装置が複雑化する。また、カーテン状プレートに予定を書き込む際は、折り畳みの山谷があって記載しにくい。
【０００４】
一般に、日付欄、曜日欄、記事欄の罫線がボードに印刷された予定表専用のホワイトボードが市販されている。予定表のホワイトボードは、打ち合わせの図面を描くには、罫線が邪魔をして見にくいので、打ち合わせ用には向かない。
【先行技術文献】
【特許文献】
【０００５】
【特許文献１】実開平５−７１８７８号公報
【発明の概要】
【発明が解決しようとする課題】
【０００６】
本発明の目的は、使い勝手のよいボード装置を提供することにある。具体的には予定表ボードとして使用でき、かつ連絡事項や図面も書き込める打ち合わせボードとしても使用できるボード装置を提供することにある。
【課題を解決するための手段】
【０００７】
本発明によるボード装置は、間隔を有して対向する一対のフレーム板の長さ方向の両端部に、一対のロッドローラが回転可能に設けられたフレーム本体と、前記一対のロッドローラに無端状の引張り状態で掛け渡され、マーカーで書き込み可能で、表面に走行操作力を加えることによりスライドするロータリー式ボードと、前記一対のフレーム板を連結し、前記ロータリー式ボードへの書き込み時にへこまないように支える当て板と、が備えられ、前記ロータリー式ボードは、隣接する２つの領域が正面に出るように４等分した領域からなり、一方の隣接した２つの領域が自由記入領域で、他方の隣接した２つの領域にはカレンダー予定表がそれぞれ印刷されていることを特徴とする。
【０００８】
前記ロータリー式ボードは、各自由記入領域に方眼状の暗線を設けたことを特徴とする。
【発明の効果】
【０００９】
本発明によれば、フレーム本体の両端部に設けた回転可能な一対のロッドローラに無端状に掛け渡されるロータリー式ボードを設けたので、手動でスライドさせて、予定表が印刷された２つの領域を正面に出して予定表ボードとしても、他の２つの自由記入領域を正面に出して連絡事項や図面などを書き込む打ち合わせボードとしても使用できる。ロータリー式ボードの予定表の２つの領域には、カレンダー予定表がそれぞれ印刷されるので、この部分を例えば月の前半と月の後半のカレンダー予定表とすることも、また、当月のカレンダー予定表と次月のカレンダー予定表などとすることもできる。正面に見えるロータリー式ボードの形状は、横長の長方形としたので、デジタルカメラで近距離から写すことができる。フレーム板を上下に配置し、ロータリー式ボードを左右方向にスライドさせることで、４台分のホワイトボードにできる。２つのカレンダー予定表を正面に出した場合、一方のカレンダー予定表と自由記入領域を正面に出した場合、２つの自由記入領域を正面に出した場合、自由記入領域と他方のカレンダー予定表を正面に出した場合の４つである。
【００１０】
ロータリー式ボードの各自由記入領域に方眼状の暗線を設けたので、図形の直線や罫線、文字などを記入しやすい。
【図面の簡単な説明】
【００１１】
【図１】本発明によるボード装置の正面図である。ボード装置を予定表ボードとした場合を示す。表面の左側は月の前半のカレンダー予定表で、右側は月の後半のカレンダー予定表である。
【図２】図１のＡ−Ａ断面図である。
【図３】本発明によるボード装置の正面図である。左側は月の後半のカレンダー予定表で、右側は打ち合わせボードの自由記入領域である。
【図４】本発明によるボード装置の正面図である。ボード装置を打ち合わせボードとした場合を示す。左右とも自由記入領域である。
【図５】本発明によるボード装置の正面図である。左側は打ち合わせボードの自由記入領域で、右側は月の前半のカレンダー予定表である。
【図６】図１の無端状のロータリー式ボードの展開斜視図で、４つの領域があることを示す。
【発明を実施するための形態】
【００１２】
以下、図面を参照してボード装置について説明する。
【実施例】
【００１３】
図１は、本発明によるボード装置の正面図である。ボード装置１は、ロータリー式ボード３の表面に、手動の走行操作力を加えることにより、ロータリー式ボード３がスライドするボード装置である。図１に示すように、間隔を有して上下に対向させた一対のフレーム板４が設けられる。フレーム板４の長さ方向の両端部には、一対のロッドローラ２が回転可能に設けられる。一対のロッドローラ２と一対のフレーム板４を含んでフレーム本体７が構成される。また、一対のロッドローラ２には、無端状の引張り状態でロータリー式ボード３が掛け渡される。ロータリー式ボード３の表面には、マーカーで文字、図形などが書き込み可能である。
【００１４】
図１では、ボード装置１を予定表ボード１ａとして使用する場合を示す。この実施例では、ロータリー式ボード３は４等分した領域からなり、２つの領域には、月の前半のカレンダー予定表６ａと、月の後半のカレンダー予定表６ｂが印刷されている。これに限らず、当月のカレンダー予定表と次月のカレンダー予定表などを印刷してもよい。カレンダー予定表６は、日付欄に１〜３１までの数字が印刷されている。図１では、ロータリー式ボード３を左右方向にスライドさせ、月の前半のカレンダー予定表６ａと月の後半のカレンダー予定表６ｂが正面に見えるように位置させている。ボード装置１の寸法は、例として横が１２５６ｍｍ、縦が９３６ｍｍ、奥行きが１４３ｍｍとすることができる。なお、この寸法に限られるものではない。正面は横長の長方形であり、このような形状はデジタルカメラで近距離から写す場合に都合がよい。
【００１５】
図２は、図１のＡ−Ａ断面図である。両端部のロッドローラ２にロータリー式ボード３が回転可能に掛け渡されている。ロータリー式ボード３の半分は表側の正面を向き、残りの半分が裏側を向いている。ロータリー式ボード３に挟まれるように、一対のフレーム板４から連結された当て板５が設けられている。当て板５は、ロータリー式ボード３に、マーカーで書き込む際、ロータリー式ボード３がへこまないように支えている。当て板５は、フレーム本体７を構成する部材の１つである。また、ロータリー式ボード３の自由記入領域８には方眼状の暗線が設けられており、ボードに直線などを引く場合のガイド線として便利である。
【００１６】
図３は、ロータリー式ボード３がスライドされ、予定表ボード１ａから打ち合わせボード１ｂに移る途中段階の正面図である。左側は月の後半のカレンダー予定表６ｂで、右側は打ち合わせボード１ｂの自由記入領域８である。このようなボードは、予定表が１日当たり１行のスペースでは不足で、さらに詳細な内容を書き込んでおきたいような場合などに便利である。図３の左方向（矢印Ａで示す）にロータリー式ボード３をさらにスライドさせると、図４に示す状態となる。
【００１７】
図４は、ロータリー式ボード３がスライドされ、ボード装置１を打ち合わせボード１ｂとした場合を示す正面図である。左右とも自由記入領域８である。ここに打ち合わせの内容を自由に書き込むことができる。図４の左方向（矢印Ａで示す）にロータリー式ボード３をさらにスライドさせると、図５に示す状態となる。
【００１８】
図５は、ロータリー式ボード３がスライドされ、打ち合わせボード１ｂから予定表ボード１ａに移る途中段階の正面図である。左側は打ち合わせボード１ｂの自由記入領域８で、右側が月の前半のカレンダー予定表６ａである。このようなボードは、予定表が１日当たり１行のスペースでは不足で、さらに詳細な内容を書き込んでおきたいような場合などに便利である。図５の左方向（矢印Ａで示す）にロータリー式ボード３をさらにスライドさせると、図１に示す状態となる。すなわち、正面が予定表ボード１ａになる。
【００１９】
図６は、図１の無端状のロータリー式ボード３の展開斜視図を示す。ロータリー式ボード３は４等分した４つの領域に分けられる。そして隣接する２つの領域が正面に出る。正面は符号Ｖで示す。隣接した２つの領域が自由記入領域８で、この領域が正面に来ると、打ち合わせボード１ｂ（図４参照）になる。他の隣接した２つの領域には、一月の前半のカレンダー予定表６ａと、一月の後半のカレンダー予定表６ｂがそれぞれ印刷され、これらが正面に来ると、予定表ボード１ａ（図１参照）となる。図６の符号Ｐ１の２つの領域が正面に来た場合が図１に対応し、符号Ｐ２の２つの領域が正面に来た場合が図３に対応し、符号Ｐ３の２つの領域が正面に来た場合が図４に対応し、符号Ｐ４の２つの領域が正面に来た場合が図５に対応している。ロータリー式ボード３のスライドは左右どちらの方向にも可能で、正面に来るロータリー式ボード３の各領域は順番に巡回される。
【００２０】
本実施例では、フレーム板４は上下方向に設置し、ロータリー式ボード３を左右方向にスライドさせたが、フレーム板４は左右方向に設置し、ロータリー式ボード３を上下方向へスライドさせてもよい。
【産業上の利用可能性】
【００２１】
本発明のボード装置は、コンパクトで、予定表にも打ち合わせにも使用できるホワイトボードとして好適である。
【符号の説明】
【００２２】
１    ボード装置
１ａ  予定表ボード
１ｂ  打ち合わせボード
２    ロッドローラ
３    ロータリー式ボード
４    フレーム板
５    当て板
６    予定表
６ａ  月の前半のカレンダー予定表
６ｂ  月の後半のカレンダー予定表
７    フレーム本体
８    自由記入領域
【図１】
0005510867.tif 000002
【図２】
0005510867.tif 000003
【図３】
0005510867.tif 000004
【図４】
0005510867.tif 000005
【図５】
0005510867.tif 000006
【図６】
0005510867.tif 000007